(57)【要約】      （修正有）【課題】イヤホンコードと衣服等との擦れをより効果的に防止して、雑音の発生を防ぐコードクリップを提供する。【解決手段】コードクリップ１は、コード９を保持する保持部２と、クリップ部３と、保持部２及びクリップ部３が両端に設けられ、保持部２及びクリップ部３の間の長さを調整する長さ伸縮手段４１，４２を備えるアーム部４と、を備える。【選択図】図１
2015177316.tif 000002
【特許請求の範囲】
【請求項１】
コードを保持する保持部と、
クリップ部と、
前記保持部及び前記クリップ部が両端に設けられ、前記保持部及び前記クリップ部の間の長さを調整する長さ伸縮手段を備えるアーム部と、
を備えることを特徴とするコードクリップ。
【請求項２】
請求項１に記載のコードクリップであって、
前記アーム部は、前記長さ伸縮手段として、第一アーム部と、前記第一アーム部が挿入され、前記第一アーム部を複数の位置で固定可能な穴を有する第二アーム部とを備える、
ことを特徴とするコードクリップ。
【請求項３】
請求項１又は２に記載のコードクリップであって、
前記アーム部及び前記クリップ部は、前記クリップ部に対する前記アーム部の角度を変更可能な回転手段を備える、
ことを特徴とするコードクリップ。
【請求項４】
請求項３に記載のコードクリップであって、
前記アーム部は、前記回転手段として、前記保持部と反対側に歯車を備え、
前記クリップ部は、前記回転手段として、前記歯車を回転軸を介して取り付ける軸受部と、前記歯車の歯を係止する凸部とを備える、
ことを特徴とするコードクリップ。
【請求項５】
請求項４に記載のコードクリップであって、
前記クリップ部の回転手段は、前記クリップ部の取っ手に設けられている、
ことを特徴とするコードクリップ。
【請求項６】
請求項４に記載のコードクリップであって、
前記クリップ部の回転手段は、前記クリップ部の把持部に設けられている、
ことを特徴とするコードクリップ。
【請求項７】
請求項１〜６いずれか一項に記載のコードクリップであって、
前記アーム部は、一以上の関節を備える、
ことを特徴とするコードクリップ。
【請求項８】
請求項１〜６いずれか一項に記載のコードクリップであって、
前記保持部は、前記アーム部を中心軸として回転する回転手段、又は前記アーム部に対する角度を変更可能な関節を介して、前記アーム部に取り付けられる、
ことを特徴とするコードクリップ。
【発明の詳細な説明】
【技術分野】
【０００１】
本発明は、イヤホン、ヘッドホンなどのコードを留めるコードクリップに関する。
【背景技術】
【０００２】
イヤホンコードを保持した状態で衣服等に固定するイヤホンコードクリップが知られている。イヤホンコードクリップでイヤホンコードを衣服等に固定することで、耳とクリップの間のコードの長さに余裕を持たせることができる。これにより、ユーザーが首を振るなどの動作によりイヤホンがコードに引っ張られて耳から外れる、というような事態を防止することができる。
【０００３】
例えば、特許文献１には、イヤホンコードを保持する筒状部分の側面に先端が球体になったアームを有するグリップと、当該グリップの球体を回動自在に嵌入する孔を有するワニ口クリップにより構成されたイヤホンコードクリップが記載されている。
【先行技術文献】
【特許文献】
【０００４】
【特許文献１】特開２００４−２１４９９６号公報
【発明の概要】
【発明が解決しようとする課題】
【０００５】
ところで、イヤホンコードと衣服等が擦れると、その擦れによって発生した雑音が、イヤホンコードを伝わってイヤホンに到達し、ユーザーの耳に聞こえることがある。従来のイヤホンコードクリップは、このような問題を考慮していない。そのため、仮に従来のイヤホンコードクリップを使用すると、イヤホンコードクリップと衣服等との距離がかなり近くなる部分が存在し、この部分から雑音が発生する。
【０００６】
本発明は、イヤホンコードと衣服等との擦れをより効果的に防止して、雑音の発生を防ぐことを目的とする。
【課題を解決するための手段】
【０００７】
上記の課題を解決するための本発明の一態様は、コードを保持する保持部と、クリップ部と、前記保持部及び前記クリップ部が両端に設けられ、前記保持部及び前記クリップ部の間の長さを調整する長さ伸縮手段を備えるアーム部と、を備えることを特徴とするコードクリップである。
【０００８】
前記コードクリップであって、前記アーム部は、前記長さ伸縮手段として、第一アーム部と、前記第一アーム部が挿入され、前記第一アーム部を複数の位置で固定可能な穴を有する第二アーム部とを備える、ことを特徴としていてもよい。
【０００９】
前記コードクリップであって、前記アーム部及び前記クリップ部は、前記クリップ部に対する前記アーム部の角度を変更可能な回転手段を備える、ことを特徴としていてもよい。
【００１０】
前記コードクリップであって、前記アーム部は、前記回転手段として、前記保持部と反対側に歯車を備え、前記クリップ部は、前記回転手段として、前記歯車を回転軸を介して取り付ける軸受部と、前記歯車の歯を係止する凸部とを備える、ことを特徴としていてもよい。
【００１１】
前記コードクリップであって、前記クリップ部の回転手段は、前記クリップ部の取っ手に設けられている、ことを特徴としていてもよい。
【００１２】
前記コードクリップであって、前記クリップ部の回転手段は、前記クリップ部の把持部に設けられている、ことを特徴としていてもよい。
【００１３】
前記コードクリップであって、前記アーム部は、一以上の関節を備える、ことを特徴としていてもよい。
【００１４】
前記コードクリップであって、前記保持部は、前記アーム部を中心軸として回転する回転手段、又は前記アーム部に対する角度を変更可能な関節を介して、前記アーム部に取り付けられる、ことを特徴としていてもよい。
【図面の簡単な説明】
【００１５】
【図１】本発明の一実施形態に係るコードクリップ１の構成の一例を示す図である。
【図２】保持部２とアーム部４を説明する図である。
【図３】クリップ部３とアーム部４の取り付け構造を説明する図（その１）である。
【図４】クリップ部３とアーム部４の取り付け構造を説明する図（その２）である。
【図５】アーム部４の長さの調整構造を説明する図である。
【図６】コードクリップ１の使用状態の一例を示す図である。
【発明を実施するための形態】
【００１６】
本発明の一実施形態について、図面を参照して説明する。なお、以下では、「略」、「状」という言葉を用いることがあるが、これは、対象の長さ、角度、方向、形状等が厳密に言葉どおりである場合以外に、実質的に同一な場合（すなわち、本実施形態の作用及び効果を発揮できる場合）を含む概念である。もちろん、「略」、「状」という言葉を用いない場合でも、実質的に同一な場合は含まれる。
【００１７】
図１は、本発明の一実施形態に係るコードクリップ１の構成の一例を示す図である。図２は、保持部２とアーム部４を説明する図である。
【００１８】
コードクリップ１は、保持部２と、クリップ部３と、アーム部４とを備える。
【００１９】
保持部２は、保持されたコード９の方向が、アーム部４の長手方向と略直交するように、アーム部４の一端に設けられている。保持部２は、円筒状であり、当該円筒の中心軸方向にコード９を通す。また、保持部２は、当該円筒の側面に溝２１が形成されている。溝２１により、保持部２を開き易くするとともに、コード９を保持部２内に側面から嵌め込み易くすることができる。
【００２０】
クリップ部３は、保持部２とは反対側のアーム部４の一端に設けられている。クリップ部３は、衣服等を挟んで把持する把持部として機能する一対の板片３１及び板片３２と、板片３１及び板片３２を開閉作動させるときにユーザーが触る取っ手として機能する一対の板片３３及び板片３４とを有する。
【００２１】
板片３１及び板片３３は、連結されており、連結部分には支軸３５を挿通する孔が形成されている。また、板片３２及び板片３４は、連結されており、連結部分には支軸３５を挿通する孔が形成されている。板片３１及び板片３３の連結部分と、板片３２及び板片３４の連結部分とは、挿通された支軸３５を中心に回転作動するように連結される。なお、支軸３５の軸周りには、例えば、ねじりコイルばねが装着されており（図示せず）、板片３１及び板片３２の先端部が閉じるように力が加えられる。
【００２２】
板片３３は、支軸３５と反対側の一端に、アーム部４の歯車４３が装着される。この点については、後に詳述する。
【００２３】
アーム部４は、棒状であり、一端に保持部２が設けられ、反対側の他端にクリップ部３が設けられる。より具体的には、アーム部４は、第一アーム部４１と、第二アーム部４２と、歯車４３とを有する。第一アーム部４１は、歯車４３と反対側の一端に、保持部２が設けられる。第二アーム部４２は、保持部２と反対側の一端に、歯車４３が設けられ、クリップ部３の板片３３に歯車４３を介して回転作動するように取り付けられる。
【００２４】
アーム部４は、保持部２とクリップ部３の間の長さを調整する伸縮機構を備える。この点については、後に詳述する。
【００２５】
図３は、クリップ部３とアーム部４の取り付け構造を説明する図（その１）である。図４は、クリップ部３とアーム部４の取り付け構造を説明する図（その２）である。なお、図４は、図１のＡ−Ａ断面を示している。
【００２６】
クリップ部３の板片３３の一端には、歯車４３を回転軸５により取り付ける切り欠きが形成されている。切り欠きは、向かい合う板片３３ａ及び板片３３ｂと、底部３６とにより挟まれる空間である。板片３３ａ及び板片３３ｂには、回転軸５の両端を受ける穴が形成されており、軸受部として機能する。
【００２７】
底部３６には、歯車４３の歯を係止する凸部３７が形成されている。歯車４３は、回転軸５を軸に回転作動可能であるとともに、歯車４３の歯が凸部３７に引っ掛かることで、任意の回転角度に調整及び固定することができる。なお、歯車４３の歯、凸部３７、又は回転軸５は、ユーザーが歯車４３に一定以上のモーメントを加えたときに加わる力により変形する程度の剛性を有する。これにより、ユーザーは歯車４３に一定以上の大きさのモーメントを加えることで、歯車４３を歯単位で回転させることができる。
【００２８】
図５は、アーム部４の長さの調整構造を説明する図である。
【００２９】
第一アーム部４１は、円柱状であり、保持部２と反対側の先端付近の側面に、２つの突起４６が形成されている。第二アーム部４２は、円柱状であり、歯車４３と反対側に第一アーム部４１を長手方向に挿入する穴４７が形成されている。第二アーム部４２の内壁（穴４７の側壁）には、第一アーム部４１の突起４６が嵌り込む係止穴４８が形成されている。係止穴４８は、２つで一組を成しており、３組が長手方向に設けられている。いずれかの組の係止穴４８に、２つの突起４６を係止させることで、アーム部４の長さを調整及び固定することができる。なお、突起４６、又は穴４７の側壁は、ユーザーが第一アーム部４１に一定以上の力を加えたときに加わる力により変形する程度の剛性を有する。これにより、ユーザーは第一アーム部４１に一定以上の大きさの力を加えることで、第一アーム部４１を穴４７に挿入及び固定することができる。
【００３０】
以上に説明したコードクリップ１は、例えば、合成樹脂等を用いて製造することができる。そして、第一アーム部４１と保持部２、第二アーム部４２と歯車４３、板片３１と板片３３、板片３２と板片３４は、それぞれ一体形成するようにしてもよい。支軸３５、回転軸５、ねじりコイルばね等は、金属等により製造してもよい。
【００３１】
図６は、コードクリップ１の使用状態の一例を示す図である。図６は、ユーザーがイヤホンを使用する際に、コードクリップ１を上着に装着し、コードクリップ１の保持部２に、イヤホンのコード９を通して保持させた場合を示している。このとき、図６に示すように、保持部２の位置がユーザーの胴体からできるだけ遠くなるように歯車４３の回転角度を調整すると、コード９が胴体から遠くに離れる。また、アーム部４の長さを調整することで、胴体とコード９の距離を適当な長さに調整することもできる。
【００３２】
以上、本発明の一実施形態について説明した。本実施形態によれば、イヤホンコードと衣服等の間の距離を一定以上に保つことができるため、イヤホンコードと衣服等との擦れを防止して、雑音の発生を防ぐことができる。
【００３３】
もちろん、上記の本発明の実施形態は、本発明の要旨と範囲を例示することを意図し、限定するものではない。例えば、上記の実施形態に以下のような変形を加えてもよい。
【００３４】
上記の実施形態では、保持部２の位置及び姿勢は、アーム部４に対して固定されているが、例えば、保持部２は、アーム部４の長手方向を中心軸として回転する回転機構を介して第一アーム部４１に取り付けられていてもよい。このようにすれば、保持部２は回転作動するので、状況に応じてコード９の向きを変化させることができる。
【００３５】
上記の実施形態では、保持部２の位置及び姿勢は、保持されたコード９の方向がアーム部４の長手方向と略直交するように、アーム部４の一端に固定されているが、例えば、保持部２は、アーム部４の長手方向に対する角度を変更可能な関節を介して第一アーム部４１に取り付けられていてもよい。このようにすれば、保持部２のアーム部４に対する角度を変更することができるので、状況に応じてコード９の向きを変化させることができる。
【００３６】
上記の実施形態では、歯車４３は、取っ手として機能する板片３３の一端に装着されているが、他の場所に装着されていてもよい。例えば、把持部として機能する板片３１の、支軸３５と反対側の一端に、歯車４３を回転軸により取り付ける切り欠きを形成し、歯車４３を取り付けるようにしてもよい。このようにすれば、衣服等に触れる把持部に歯車４３が位置するため、衣服等を把持したときに衣服等に対してコードクリップ１を滑りにくくすることができる。また、例えば、板片３１に歯車４３を回転軸により取り付ける穴を開け、歯車４３を取り付けるようにしてもよい。
【００３７】
上記の実施形態では、アーム部４の長さは、３段階（図５参照。）で調整できるが、２段階、あるいは４段階以上の係止穴４８を設けるようにしてもよい。また、長さの伸縮機構は、実施形態に限られず、例えば、第一アーム部４１に一組の係止穴４８を設け、第二アーム部４２の穴４７に複数の突起４６を設けるようにしてもよい。また、例えば、長さの伸縮機構は、突起と係止穴を用いた機構に限られないし、長さの調整は、突起と係止穴などを使わずに連続的に調整できてもよい。
【００３８】
上記の実施形態では、アーム部４は、棒状であり折り曲げることができないが、例えば、アーム部４は、長さ伸縮機構に加え、関節を一以上備えるようにしてもよい。ただし、関節の位置は、第一アーム部４１を第二アーム部４２に挿入してアーム部４の全長を最も短くした場合に、第一アーム部４１の、第二アーム部４２の外部に出ている部分に設ける必要がある。このようにすれば、コード９が衣服等に触れないように、コード９の位置及び姿勢をより柔軟に調整することできる。
【００３９】
本発明は、イヤホンのコードに限られず、例えばヘッドホン、マイクロホンなどのコードにも使用することができる。また、本発明は、衣服に限らず、例えばショルダーバッグなどのバッグにも使用することができる。また、本発明は、例えばクリップ部３の形状を、ネクタイの幅方向に細長い形状とし、ネクタイピンとして使用できるようにしてもよい。
【符号の説明】
【００４０】
１：コードクリップ
２：保持部
３：クリップ部
４：アーム部
５：回転軸
９：コード
２１：溝
３１：板片
３２：板片
３３：板片
３３ａ：板片
３３ｂ：板片
３４：板片
３５：支軸
３６：底部
３７：凸部
４１：第一アーム部
４２：第二アーム部
４３：歯車
４６：突起
４７：穴
４８：係止穴
【図１】
2015177316.tif 000003
【図２】
2015177316.tif 000004
【図３】
2015177316.tif 000005
【図４】
2015177316.tif 000006
【図５】
2015177316.tif 000007
【図６】
2015177316.tif 000008